(57)【要約】【課題】  釣り船を船縁を傷つけることなく釣り情報表示装置を船縁に取り付けやすくする。【解決手段】  固定台座５０は、船釣りに使用されるモニタ１１を装着可能な取付ブラケット４０を船縁ＦＢに固定するための台座であって、船縁ＦＢに配置可能な板状の本体部５１と、クランプ受け部５２と、装着部５３とを備えている。クランプ受け部５２は、本体部５１の第１端に設けられ船縁ＦＢに万力６０により固定可能なものである。装着部５３は、本体部５１の第１端から間隔を隔てた第２端に設けられ取付ブラケット４０を装着可能なものである。【選択図】      図３
2005160382.tif 000002
【特許請求の範囲】
【請求項１】
船釣りに使用される釣り情報表示装置を船縁に固定するための釣り情報表示装置の固定台座であって、
前記船縁に配置可能な板状の本体部と、
前記本体部の第１端に設けられ船縁に万力により固定可能なクランプ受け部と、
前記本体部の前記第１端から間隔を隔てた第２端に設けられ前記釣り情報表示装置を装着可能な装着部と、
を備えた釣り情報表示装置の固定台座。
【請求項２】
前記クランプ受け部と前記装着部は前記本体部の表裏何れでも使用可能である、請求項２に記載の釣り情報表示装置の固定台座。
【請求項３】
前記装着部は、前記クランプ受け部に対して前記本体部の長手方向と交差する幅方向に偏倚して設けられている、請求項２に記載の釣り情報表示装置の固定台座。
【請求項４】
前記クランプ受け部は、弾性体製の緩衝部材を有する、請求項１から３のいずれかに記載の釣り情報表示装置の固定台座。
【請求項５】
前記釣り情報表示装置は、第１方向に首振り可能な取付ブラケットに装着されており、
前記装着部は、前記取付ブラケットを第１方向と交差する第２方向に首振り可能に装着する、請求項１から４のいずれかに記載の釣り情報表示装置の固定台座。
【請求項６】
前記装着部は、前記本体部より突出して形成されている、請求項１から５のいずれかに記載の釣り情報表示装置の固定台座。
【発明の詳細な説明】
【技術分野】
【０００１】
本発明は、固定台座、特に、船釣りに使用される釣り情報表示装置を船縁に固定するための釣り情報表示装置の固定台座に関する。
【背景技術】
【０００２】
魚群探知機やＧＰＳ（全地球測位システム）を用いた位置表示装置等の釣り情報表示装置を釣り船に装着する場合、従来は、ダッシュボードに埋め込みプレートを利用して取り付けたり、ブラケットに釣り情報表示装置を取り付けて、ブラケットをボルトや万力等の適宜の固定手段により固定している（非特許文献１参照）。
【非特許文献１】本多電子株式会社  「ＨＯＮＤＥＸ  ＷＯＲＬＤ  ２００３  ＦＵＬＬ  ＬＩＮＥ  ＵＰ  ＣＡＴＡＬＯＧ」  ２００３年２月１日発行
【発明の開示】
【発明が解決しようとする課題】
【０００３】
このような釣り情報表示装置をキャビンではなく船縁にいる釣り人の近くに装着する場合、従来の市販のブラケットを万力やボルトなどで釣り船の船縁に装着すると種々の問題が生じる。たとえば、ボルトを用いると船縁がボルト穴で傷つくことになる。また、万力で固定すると、同じく万力を利用して取り付けられる竿受けと干渉するおそれある。また、何れの場合も、船釣りの場合、竿受けを付けてさらに装置のブラケットを取り付けなければならず、手間がかかって取付作業が煩わしいものになる。
【０００４】
本発明の課題は、釣り船の船縁を傷つけることなく釣り情報表示装置を船縁に取り付けやすくすることにある。
【課題を解決するための手段】
【０００５】
発明１に係る釣り情報表示装置の固定台座は、船釣りに使用される釣り情報表示装置を船縁に固定するための台座であって、船縁に配置可能な板状の本体部と、クランプ受け部と、装着部とを備えている。クランプ受け部は、本体部の第１端に設けられ船縁に万力により固定可能なものである。装着部は、本体部の第１端から間隔を隔てた第２端に設けられ釣り情報表示装置を装着可能なものである。
【０００６】
この固定台座を船縁に装着する場合には、竿受けに設けられた万力を使用して取り付けることができる。たとえば、本体部を船縁に沿って配置し、竿受けの万力でクランプ受け部を船縁に固定する。そして、クランプ受け部と間隔を隔てた第２端に設けられた装着部に釣り情報表示装置を取り付ける。ここでは、竿受けをたとえば万力で取り付けると同時に固定台座を船縁に取り付けることができる。このため、船縁を傷つけることなく釣り情報表示装置を容易に取り付けることができる。
【０００７】
発明２に係る釣り情報表示装置の固定台座は、発明１に記載の固定台座において、クランプ受け部と装着部は本体部の表裏何れでも使用可能である。この場合には、表裏両面で使用可能であるので、固定台座は２通りの使い方ができる。
【０００８】
発明３に係る釣り情報表示装置の固定台座は、発明２に記載の装置において、装着部は、クランプ受け部に対して本体部の長手方向と交差する幅方向に偏倚して設けられている。この場合には、クランプ受け部と装着部とが幅方向に偏倚しているので、釣り情報表示装置と万力との干渉を防止やすい。また、装着部を船縁より船内側に配置することにより、表示装置を見やすくできるとともに、表示装置を吊り下げ固定した場合に表示装置と船縁との相対揺動角度に余裕ができ、釣り人がより見やすい位置に配置できる。
【０００９】
発明４に係る釣り情報表示装置の固定台座は、発明１から３のいずれかに記載の固定台座において、クランプ受け部は、弾性体製の緩衝部材を有する。この場合には、船のエンジンや波などにより生じる振動が釣り情報表示装置に伝わりにくくなり、釣り情報表示装置の画面を見やすくなる。また、ねじ止めした場合に、ねじの固定力が強くなりねじが緩みにくくなる。
【００１０】
発明５に係る釣り情報表示装置の固定台座は、発明１から４のいずれかに記載の固定台座において、釣り情報表示装置は、第１方向に首振り可能な取付ブラケットに装着されており、装着部は、取付ブラケットを第１方向と交差する第２方向に首振り可能に装着する。この場合には、固定台座に対して魚探モニタが第１方向と第２方向との２方向に首振りできるので、魚探モニタを見やすい位置に配置しやすくなる。
【００１１】
発明６に係る釣り情報表示装置の固定台座は、発明１から４のいずれかに記載の固定台座において、前記装着部は、本体部より突出して形成されている。この場合には、装着部を本体部より突出させることにより、クランプ受け部を竿受けの万力で締め付けた際に、固定台座全体が突出分だけ僅かに弾性変形する。このため、固定台座を船縁に固定する力がさらに大きくなる。
【発明の効果】
【００１２】
本発明によれば、竿受けをたとえば万力で取り付けると同時に固定台座を船縁に取り付けることができる。このため、船縁を傷つけることなく釣り情報表示装置を容易に取り付けることができる。
【発明を実施するための最良の形態】
【００１３】
本発明の一実施例を採用した釣り情報表示システムは、図１に示すように、電動リール１０と、電動リールに接続された魚探モニタ（釣り情報表示装置の一例）１１とを備えている。電動リール１０は、船縁ＦＢに竿受けＲＫにより固定される釣り竿Ｒに装着されている。電動リール１０と魚探モニタ１１とはたとえば蓄電池からなる電源１２から途中で分岐する電源コード１３により接続され、情報の送受信が可能になっている。魚探モニタ１１は、釣り船に搭載された魚群探知機（図示せず）から、たとえば特定小電力方式の無線で送信された釣り情報を受信可能である。
【００１４】
電動リール１０は、ハンドル２０ａを有するリール本体２０と、リール本体２０に回転自在に装着されたスプール２１と、スプール２１内に装着されたモータ２２とを有している。リール本体２０の上部には、水深等を表示するための液晶ディスプレイ２４を有するカウンター２３が装着されている。電動リールは、仕掛けの水深データをスプールの回転位置から算出して液晶ディスプレイ２４に表示可能である。この仕掛けの水深データは電源コード１３を介して魚探モニタ１１に送信される。
【００１５】
魚探モニタ１１は、魚群探知機から得られる漁場の底の水深や魚群の位置を示す棚位置をエコー表示可能であるとともに、電動リール１０から得られる仕掛けの水深データをエコー表示された底の水深や棚位置とともに重畳して表示することができる。また、魚探モニタ１１は、棚停止のオンオフや棚位置の設定、さそいモードのオンオフやさそい幅の設定、オートしゃくリのオンオフ、モータの糸繰り出し方向の回転により釣り糸を繰り出す糸送りのオンオフ、アタリ検知のオンオフ等の電動リール１０に関する設定操作を行うことができる。
【００１６】
魚探モニタ１１は、図１から図３に示すように、ケース３０と、ケース３０に装着された液晶ディスプレイ３１と、ケース３０から露出して液晶ディスプレイ３１の右側に上下に配置された５つの操作ボタン３２〜３６とを有している。ケース３０は、四辺が円形に丸められた表示部３０ａと表示部３０ａの奥側に設けられ各種の制御部を内蔵したボックス部３０ｂとを有している。ボックス部３０ｂの両側部には、ねじ孔３６を有する１対の取付部３７ａ，３７ｂが上下に間隔を隔てて配置されている。この上下の取付部３７ａ，３７ｂのいずれかに取付ブラケット４０がねじ部材４１により装着され、魚探モニタ１１は、取付ブラケット４０がねじ止めされた固定台座５０を介して釣り船の船縁ＦＢに装着される。
【００１７】
操作ボタン３２は、画面切り換えボタンである。操作ボタン３３は、カーソルキーであり、設定の際に上下左右にカーソルを移動させるためのものである。操作ボタン３４は、各種の設定の際に設定を決定するためのボタンである。操作ボタン３５は、さそい開始する際のさそいオンオフボタンである。操作ボタン３６は、電源オンオフボタンである。
【００１８】
取付ブラケット４０は、図２及び図３に示すように、金属板をたとえばプレス加工により折り曲げて形成されている。取付ブラケット４０は、断面Ｌ字状に折り曲げられた中央部４０ａと、中央部４０ａの長手方向の中心部分に後方（図２右方）に突出して配置された固定部４０ｂと、中央部４０ａの両端から斜め上前方（図２左方）に折り曲げられた１対の取付部４０ｃとを有している。固定部４０ｂは、中央部４０ａと同一面状で突出しており、固定台座５０にねじ部材４２によりねじ止め固定される。取付ブラケット４０は、固定台座５０に１箇所で取り付けられているので、ねじ部材４２のねじ軸回りの取付姿勢、すなわち左右の首振り角度を調整可能である。１対の取付部４０ｃの先端には、ねじ部材４１が貫通する貫通孔４０ｄがそれぞれ形成されている。この貫通孔４０ｄを貫通して魚探モニタ１１のねじ孔３６にねじ部材４２をねじ込むことにより、魚探モニタ１1が取付ブラケット４０に固定される。このとき、魚探モニタ１１の側面にねじ込まれる２本のねじ部材４１により固定されるので、ねじ部材４１のねじ軸回りの取付姿勢、すなわち上下の首振り角度を調整可能である。この結果、魚探モニタ１１は、上下左右の首振り角度を調整可能であり、釣り人が見やすい姿勢に魚探モニタ１１を配置できる。
【００１９】
固定台座５０は、取付ブラケット４０を介して魚探モニタ１１を竿受けＲＫとともに船縁FＢに取り付けるために用いられる。固定台座５０は、図１〜図５に示すように、船縁ＦＢに配置可能な板状の本体部５１と、本体部５１の一端（図４左端）に設けられたクランプ受け部５２と、他端（図４右端）に設けられた装着部５３とを有している。本体部５１は、たとえば合成樹脂又は金属製の型成形された板状部材であり、軽量化や成形時のそりやヒケを防止するための肉盗み部５１ａが中央部両面に形成されている。
【００２０】
クランプ受け部５２は、船縁ＦＢにたとえば竿受けＲＫに装着された万力６０により固定可能なものであり、他の部分より幅広に形成されている。これにより、たとえば竿受けＲＫに装着された万力６０により固定しやすくなる。クランプ受け部５２は、周囲に縁取り部５２ａを両面に有している。縁取り部５２ａで囲まれた領域には、弾性体製の振動吸収用の緩衝部材５５が表裏面にたとえば接着等の適宜の固定手段で固定されている。
【００２１】
装着部５３は、取付ブラケット４０を取り付けるための部分であり、クランプ受け部５２に対して幅方向に偏倚して設けられている。装着部５３は、表裏面に本体部５１より突出して形成された円形の縁取り部５３ａと、縁取り部５３ａの中心に形成されたねじ孔５３ｂとを有している。このねじ孔５３ｂにねじ部材４２がねじ込まれて、取付ブラケット４０が固定台座５０に固定される。このように、縁取り部５３ａを本体部５１より突出させることにより、クランプ受け部５２を竿受けＲＫの万力６０で締め付けた際に、固定台座５０全体が突出分だけ僅かに弾性変形する。このため、固定台座５０を船縁ＦＢに固定する力がさらに大きくなる。縁取り部５３ａで囲まれた領域には、弾性体製の振動吸収及び緩み止め防止用の緩衝部材５６が表裏面にたとえば接着等の適宜の固定手段で固定されている。緩衝部材５６の高さ（厚み）は、縁取り部５３ａの突出高さより少し高い。
【００２２】
このような構成の固定台座５０は、竿受けをたとえば万力で取り付けると同時に固定台座を船縁に取り付けることができる。このため、船縁を傷つけることなく釣り情報表示装置を容易に取り付けることができる。また、固定台座５０は、表裏両面を使用可能である。また、クランプ受け部５２に対して装着部５３が幅方向に偏倚して配置されているため、表裏の両面と左右反転とにより４通りの使い方ができる。このため、魚探モニタ１１の取付の自由度が多くなる。このため、魚探モニタ１１と竿受けＲＫとの干渉を防止することができる。また、クランプ受け部５２や装着部５３に緩衝部材５５，５６が装着されているので、船の振動等が固定台座５０に伝わりにくくなるとともに、伝わっても魚探モニタ１１に伝わりにくくなる。このため、魚探モニタ１１の振動を抑えて魚探モニタ１１を見やすくなる。
【００２３】
次に、魚探モニタ１１の取付手順について説明する。
まず、魚探モニタ１１に取付ブラケット４０を取り付ける。この際には、魚探モニタ１１の下側と取付部３７ｂに取付ブラケット４０の貫通孔４０ｄに合わせ、２本のねじ部材４１で魚探モニタ１１を取付ブラケット４０に固定する。そして固定台座５０の装着部５３に取付ブラケット４０の固定部４０ｂに配置し、ねじ部材４２により取付ブラケット４０を固定台座５０に取り付ける。これにより、固定台座５０に取付ブラケット４０を介して魚探モニタ１１が装着される。そして、魚探モニタ１１の背面に電源コード１３を接続する。これらの取付準備が終了すると、竿受けＲＫを船縁ＦＢに取り付けるときに万力６０により固定台座５０のクランプ受け部５２を船縁ＦＢとの間に挟んで固定台座５０を船縁ＦＢに固定する。これにより魚探モニタ１１の仮取り付けが終了する。この後に、釣り人の見やすい姿勢となるようにねじ部材４１，４２を緩めて魚探モニタ１１の取付姿勢を調整し、ねじ部材４１，４２を増し締めする。これにより、モータ１１の装着が完了する。ここでは、竿受けＲＫを万力６０で取り付けると同時に固定台座５０を船縁ＦＢに取り付けることができる。このため、船縁ＦＢを傷つけることなく魚探モニタ１１を容易に取り付けることができる。
【００２４】
〔他の実施形態〕
（ａ）前記実施形態では、水深などを表示する魚探モニタの固定台座について説明したが、釣り情報表示装置は魚探モニタに限定されず、ＧＰＳを利用した釣り場の位置情報を表示するものや、釣り情報を獲得可能なインターネット端末等の船縁に固定される全ての釣り情報表示装置が含まれる。
【００２５】
（ｂ）前記実施形態では、固定台座を板状部材で構成したが、固定台座の形状は板状に限定されない。
【００２６】
（ｃ）前記実施形態では固定台座と取付ブラケットとを別体としたが一体にしてもよい。
【００２７】
（ｄ）前記実施形態では、取付部３７ｂに取付ブラケット４０を固定したが、図６に示すように、取付部３７ａに取り付けて魚探モニタ１１を吊り下げて取付ブラケット４９に取り付けしてもよい。なお、図６に示す例では、前記実施形態に対して取付ブラケット４０を固定台座５０に反転させて取り付けているが、前記実記形態のように取り付けて吊り下げて取り付けてもよい。このように，取付ブラケット４０の固定台座５０に対する２つの取付形態と、魚探モニタ１１の取付ブラケット４０に対する２つの取付形態とにより、釣り人の好みの高さに魚探モニタ１１を配置できる。
【図面の簡単な説明】
【００２８】
【図１】本発明の一実施形態が採用された釣り情報表示システムの斜視図。
【図２】魚探モニタの取付状態を示す側面図。
【図３】魚探モニタの取付状態を示す平面一部破断図。
【図４】固定台座の平面図。
【図５】固定台座の側面一部破断図。
【図６】魚探モニタの他の取付形態を示す図２に相当する図。
【符号の説明】
【００２９】
１１  魚探モニタ
５０  固定台座
５１  本体部
５２  クランプ受け部
５３  装着部
５６  緩衝部材
ＦＢ  船縁
【図１】
2005160382.tif 000003
【図２】
2005160382.tif 000004
【図３】
2005160382.tif 000005
【図４】
2005160382.tif 000006
【図５】
2005160382.tif 000007
【図６】
2005160382.tif 000008